【手続補正書】
【提出日】平成18年3月2日(2006.3.2)
【手続補正１】
【補正対象書類名】明細書
【補正対象項目名】特許請求の範囲
【補正方法】変更
【補正の内容】
【特許請求の範囲】
【請求項１】
船室内に設置され、携帯電話機用ページングアンプを収納し、かつマイクとスピーカを
有するハンドセットが引っかけられる筺体と、船の上方位置に設置された外部スピーカと
を備え、前記携帯電話用ページングアンプの入出力端子に、携帯電話機のイヤホン・マイ
ク端子を接続し、前記携帯電話用ページングアンプの出力端子に上記外部スピーカを接続
し、上記ハンドセットが所定位置にあることを検出する検出手段を設け、上記携帯電話機
の着信音を上記イヤホン・マイク端子より取り出し上記携帯電話用ページングアンプで増
幅して上記外部スピーカより出力し、上記ハンドセットを上記所定位置より操作すること
によって上記検出手段により着信音を止めることを特徴とする携帯電話用ページングアン
プ。
【請求項２】
上記検出手段によってオン・オフするスイッチを携帯電話機のイヤホン・マイク端子と
外部スピーカを接続する回路中に挿入すると共に、上記オン・オフスイッチに連動するス
イッチを携帯電話機の制御端子に接続して通話回線を接続又は切断することを特徴とする
請求項１に記載の携帯電話用ページングアンプ。
【請求項３】
前記携帯電話用ページングアンプのマイク端子と上記ハンドセットのマイクの間に放送
スイッチを挿入し、放送スイッチがオフ状態のときは携帯電話機のマイク端子とハンドセ
ットのマイクを接続し、オン状態のときはハンドセットのマイクと上記外部スピーカを携
帯電話用ページングアンプを介して接続することを特徴とする請求項１記載の携帯電話用
ページングアンプ。
【手続補正２】
【補正対象書類名】明細書
【補正対象項目名】０００４
【補正方法】変更
【補正の内容】
【０００４】
【課題を解決するための手段】
本発明の請求項１記載の携帯電話用ページングアンプは、船室内に設置され、携帯電話
機用ページングアンプを収納し、かつマイクとスピーカを有するハンドセットが引っかけ
られる筺体と、船の上方位置に設置された外部スピーカとを備え、前記携帯電話用ページ
ングアンプの入出力端子に、携帯電話機のイヤホン・マイク端子を接続し、前記携帯電話
用ページングアンプの出力端子に上記外部スピーカを接続し、上記ハンドセットが所定位
置にあることを検出する検出手段を設け、上記携帯電話機の着信音を上記イヤホン・マイ
ク端子より取り出し上記携帯電話用ページングアンプで増幅して上記外部スピーカより出
力し、上記ハンドセットを上記所定位置より操作することによって上記検出手段により着
信音を止めることを特徴とする。ここでハンドセットはフックにかけておくような所定位
置に限定される必要はなく、例えばハンドセットを所定の位置においておけば、所定の位
置にあることをセンサーが検知するような構成であってもよい。請求項１の発明は、ハン
ドセットが所定位置にあるとき、携帯電話用ページングアンプが携帯電話機の着信音を増
幅して外部スピーカにより出力するので、着信音が拡声され聞き逃すことがない。そして
ハンドセットを操作すれば着信音が止まるので便利である。この請求項において、ハンド
セットの操作により着信音の停止からハンドセットによる通話状態への切り替えを自動的
に行なえるようにするのが望ましい。また、着信音の音量は携帯電話用ページングアンプ
の前段に接続した音量調整スイッチ又はボリュームにより調整するのが望ましい。
【手続補正３】
【補正対象書類名】明細書
【補正対象項目名】０００５
【補正方法】変更
【補正の内容】
【０００５】
また本発明の携帯電話用ページングアンプは、携帯電話機のイヤホン・マイク端子に、
マイクとスピーカを有するハンドセットを備える携帯電話用ページングアンプの入出力端
子を接続し、上記ハンドセットのマイクに入力した音声は携帯電話用ページングアンプを
介して携帯電話機に入力され、携帯電話機より出力される音声信号は携帯電話用ページン
グアンプを介してハンドセットのスピーカに出力されるとよい。これにより、携帯電話機
と携帯電話用ページングアンプを接続することができ、ハンドセットを用いて通話を行な
うことができる。この構成によれば、前記請求項１の操作で着信音を止めた後、何ら操作
する必要なく引き続き携帯電話機により通話を行なうことができ、携帯電話機を便利に使
用することができる。ハンドセットの音量調整は携帯電話機のボリュームで行なうことが
できる。
【手続補正４】
【補正対象書類名】明細書
【補正対象項目名】０００６
【補正方法】変更
【補正の内容】
【０００６】
本発明の請求項２の携帯電話用ページングアンプは、前記検出手段によってオン・オフ
するスイッチを携帯電話機のイヤホン・マイク端子と外部スピーカを接続する回路中に挿
入すると共に、上記オン・オフスイッチに連動するスイッチを携帯電話機の制御端子に接
続して通話回線を接続又は切断することを特徴とする。請求項２の発明は、ハンドセット
の操作だけで着信音の停止からハンドセットによる通話状態への自動切り替え接続及び回
線の切断を実現し、使用を便利にする。上記請求項１、２において、ハンドセットはいわ
ゆる電話機のハンドセットのようにマイクとスピーカを一体的に備えマイクとスピーカの
間の部分を持つもの、あるいはヘッドセット等のマイクとスピーカを備えたもの、マイク
と本体に内蔵するスピーカの組み合わせのようなものでもよく、その形状、形態はどのよ
うなものであっても本発明に使用することができる。マイクとスピーカが一体化されてい
ない場合はマイク又はスピーカのいずれかの位置を検出する構成とすればよい。
【手続補正５】
【補正対象書類名】明細書
【補正対象項目名】０００７
【補正方法】変更
【補正の内容】
【０００７】
また本発明の携帯電話用ページングアンプは、携帯電話機のイヤホン・マイクジャック
にプラグを挿入して、携帯電話機のイヤホン端子と外部スピーカを携帯電話用ページング
アンプを介して接続するとともにハンドセットのスピーカに接続し、かつ携帯電話機のマ
イク端子と上記ハンドセットのマイクを接続するとよい。これにより、携帯電話機のイヤ
ホン・マイクジャックにプラグを挿入して携帯電話用ページングアンプと接続することが
できるので、確実安価にして容易に接続でき、携帯電話機を改造することなく本発明の携
帯電話用ページングアンプを利用することができる。
【手続補正６】
【補正対象書類名】明細書
【補正対象項目名】０００８
【補正方法】変更
【補正の内容】
【０００８】
請求項３の携帯電話用ページングアンプは、前記携帯電話用ページングアンプのマイク
端子と上記ハンドセットのマイクの間に放送スイッチを挿入し、放送スイッチがオフ状態
のときは携帯電話機のマイク端子とハンドセットのマイクを接続し、オン状態のときはハ
ンドセットのマイクと上記外部スピーカを携帯電話用ページングアンプを介して接続する
ことを特徴とする。請求項３の発明は、放送スイッチを挿入するだけでハンドセットを利
用して拡声放送を通話中でも通話中でなくても行なうことができる。
【手続補正７】
【補正対象書類名】明細書
【補正対象項目名】０００９
【補正方法】変更
【補正の内容】
【０００９】
さらに本発明の携帯電話用ページングアンプは、第１の携帯電話機と第２の携帯電話機
に共通使用される携帯電話用ページングアンプを備え、上記第１の携帯電話機用として第
１のイヤホンプラグを用意するとともに、上記第２の携帯電話機用として第２のイヤホン
プラグを用意し、上記第１の携帯電話機又は第２の携帯電話機を第１のイヤホンプラグ又
は第２のイヤホンプラグを介して上記携帯電話用ページングアンプに接続することが望ま
しい。これにより、２種類の携帯電話機に対して２種類のイヤホンプラグを用意して、ど
ちらかのイヤホンプラグを用いて携帯電話用ページングアンプに共通に接続することがで
き、共通部品を多くすることができる。
【手続補正８】
【補正対象書類名】明細書
【補正対象項目名】００１０
【補正方法】変更
【補正の内容】
【００１０】
さらに本発明の携帯電話用ページングアンプは、上記第１の携帯電話機は４極イヤホン
・マイクジャックを備え、上記第２の携帯電話機は３極イヤホン・マイクジャックを備え
、上記第１のイヤホンプラグは上記第１の携帯電話機の４極イヤホン・マイクジャックに
挿入接続される４極プラグを備え、上記第２のイヤホンプラグは上記第２の携帯電話機の
３極イヤホン・マイクジャックに挿入接続される３極プラグを備えることが望ましい。こ
れにより、現存する４極イヤホン・マイクジャック携帯電話機と、３極イヤホン・マイク
ジャック携帯電話機に有効に対応することができる。
【手続補正９】
【補正対象書類名】明細書
【補正対象項目名】００１１
【補正方法】変更
【補正の内容】
【００１１】
さらに本発明の携帯電話用ページングアンプは、上記４極プラグの第１端子が携帯電話
用ページングアンプのマイク端子に接続され、４極プラグの第２端子が携帯電話用ページ
ングアンプのイヤホン端子に接続され、４極プラグの第３端子が携帯電話用ページングア
ンプのアース端子に接続され、４極プラグの第４端子が携帯電話用ページングアンプの制
御端子に接続され、上記３極プラグの第１端子が携帯電話用ページングアンプのマイク端
子に接続され、３極プラグの第２端子が携帯電話用ページングアンプのイヤホン端子に接
続され、３極プラグの第３端子が携帯電話用ページングアンプのアース端子に接続され、
３極プラグに携帯電話用ページングアンプの制御端子間を短絡するジャンパー線を備える
ことが望ましい。これにより、２種類の携帯電話機と共通使用される携帯電話用ページン
グアンプとを、４極イヤホンプラグと３極イヤホンプラグを用いて少ない配線で接続する
ことができる。